(57)【要約】  本発明は、システムおよび方法に関するものであり、この方法によって可読コンテンツ（書籍、定期刊行物、文書）の可用性を場所によって限定することができる。さらに本発明は、電子式端末機、特に本方法を実施するための手段を備えたモバイルリーダー、ならびにそのような電子式端末機の使用に関する。【選択図】図１
2014522003.tif 000002
【特許請求の範囲】
【請求項１】
場所を限定してモバイルリーダー上に可読コンテンツを表示する方法において、以下の手順工程：
−対象物探知装置が、自身を一義的に識別する信号を発信し、該信号が前記リーダーの到達範囲内に入るとすぐに前記リーダーによって受信され、
−前記リーダーが受信した前記対象物探知装置の識別情報をサーバーに伝送し、同時にこのＩＤで使用可能なコンテンツの照会を前記サーバーに送信し、
−前記サーバーが前記対象物探知装置ＩＤを使用してこのＩＤの下に格納されている限定して使用可能なコンテンツを特定し、
−前記サーバーが前記コンテンツを、前記対象物探知装置のためにあらかじめ定められた方法に従って暗号化し、
−前記サーバーが暗号化された前記コンテンツを前記リーダーに送り、同時に前記対象物探知装置に対する認証照会が前記リーダーに送信され、
−前記認証照会が前記リーダーから前記対象物探知装置に転送され、
−前記対象物探知装置が前記認証照会への返答を前記リーダーに送信し、
−前記対象物探知装置の返答を使用して前記コンテンツが前記リーダー上で復号され、開かれる、
を特徴とする方法。
【請求項２】
場所を限定してモバイルリーダー上に可読コンテンツを表示する方法において、前記対象物探知装置が、該対象物探知装置を一義的に識別する信号を、前もって対象物探知装置がリーダーの信号を受信していたときに初めて発信することを特徴とする、請求項１に記載の方法。
【請求項３】
場所を限定してモバイルリーダー上に可読コンテンツを表示する方法において、前記対象物探知装置が発信した信号が可変であり得ることを特徴とする、請求項１または２に記載の方法。
【請求項４】
場所を限定してモバイルリーダー上に可読コンテンツを表示する方法において、前記サーバーが前記対象物探知装置ＩＤを受信後にまず限定して使用可能なコンテンツの一覧が前記リーダーに送信され、該一覧から前記リーダーの前記ユーザーがどのコンテンツを前記サーバーから前記リーダーに伝送するのかを選択可能であることを特徴とする、請求項１〜３のうちいずれか一項に記載の方法。
【請求項５】
場所を限定してモバイルリーダー上に可読コンテンツを表示する方法において、前記場所を限定して使用可能なコンテンツがユニット単位で前記サーバーから前記リーダーへ伝送され、別のユニットを選択する際に前記認証の手順が再度必要であることを特徴とする、請求項１〜４のうちいずれか一項に記載の方法。
【請求項６】
場所を限定してモバイルリーダー上に可読コンテンツを表示する方法において、前記場所を限定して使用可能なコンテンツが、前記対象物探知装置から再度認証が要求される前に特定の時間前記リーダー上に表示されることを特徴とする、請求項１〜５のうちいずれか一項に記載の方法。
【請求項７】
場所を限定してモバイルリーダー上に可読コンテンツを表示する方法において、前記コンテンツが、前記対象物探知装置から信号を受信しなくなった後に、前記リーダーのメモリーから消去されることを特徴とする、請求項１〜６のうちいずれか一項に記載の方法。
【請求項８】
場所を限定してモバイルリーダー上に可読コンテンツを表示する方法において、前記コンテンツが、前記対象物探知装置から信号を受信しなくなった後に、暗号化された形で前記リーダーのメモリーに留まることを特徴とする、請求項１〜６のうちいずれか一項に記載の方法。
【請求項９】
場所を限定してモバイルリーダー上に可読コンテンツを表示する方法において、場所を限定したコンテンツの受領がユーザー権限と結びついており、その際前記ユーザーが前記モバイルリーダーの機器識別を使用して識別されることを特徴とする、請求項１〜８のうちいずれか一項に記載の方法。
【請求項１０】
請求項１〜９のうちいずれか一項に記載の、場所を限定してモバイルリーダー上に可読コンテンツを表示する方法を実施するために、１つまたは複数の対象物探知装置、サーバーおよびモバイルリーダーから構成されるシステムの使用。
【請求項１１】
請求項１〜９のうちいずれか一項に記載の、場所を限定してモバイルリーダー上に可読コンテンツを表示する方法を実施するために、１つまたは複数の対象物探知装置、サーバーおよびモバイルリーダーから構成されるシステムにおいて、サーバーおよび対象物探知装置が機器に内蔵されているシステムの使用。
【発明の詳細な説明】
【技術分野】
【０００１】
本発明は、システムおよび方法に関するものであり、この方法によって可読コンテンツ（書籍、定期刊行物、文書）の可用性を場所によって限定することができる。さらに本発明は、電子式端末機、特に本方法を実施するための手段を備えたモバイルリーダー、ならびにそのような電子式端末機の使用に関する。優先権の元となる独国出願番号は１０２０１００５３６５１．２である。
【背景技術】
【０００２】
モバイルリーダー、特にいわゆる「Ｅリーダー」が近年市販されるようになっている。携帯型コンピュータや携帯電話、いわゆる「スマートフォン」もモバイルリーダーとして機能することができる。モバイルリーダーは書籍、定期刊行物およびその他の文字による文書をデジタル形式でディスプレイ上に表示する手段を提供して可読にすることが特徴であり、その際最大数百の文書をモバイルリーダー上に保存することができる。文書は物理的インターフェース（例えばＵＳＢ）を介してリーダーに伝送されるか、または無線で移動無線またはＷＬＡＮを介して要求することが可能である。可読コンテンツは無制限にまたは支払後に入手でき、購入後には特段の制限なく機器上で利用することができる。こうしてユーザーは例えば書籍１冊全部などの１つまたは複数の文書を、モバイルリーダーにロードし、任意の場所で読むことができる。
【０００３】
従来技術により、可読コンテンツを特定の場所でリーダーに伝送する方法が公知である。特許文献１には、その存在場所を検知する機能のあるモバイル機器が記述されており、検知している限り、場所固有のコンテンツを受信することができる。この機器はその際その場所がすでに見つけられたかどうか、およびコンテンツがすでに受信されたかどうかを確認し、再度の伝送を防止する。こうしてこのような機器の操作者が新しいまたは最新のコンテンツだけを受信することが保証される。非特許文献１では、この種の技術を博物館で使用することについて記述されており、その際展示物に関する情報がその付近でリーダーに受信され、ウェブブラウザに表示され、博物館を離れた後も呼び出すことができる。存在場所を確認するために、さまざまな技術を使用することができる。例えばリーダーが無線信号（ＲＦＩＤは非特許文献２、ＷＬＡＮは非特許文献３）を受信するかまたはその位置をＧＰＳ（特許文献１）で特定することができる。
【０００４】
しかし上述の使用は、その場所を離れた後で場所固有のコンテンツに何が起こるのかは考慮していない。上述のケースでは、コンテンツはリーダー上に残り、後日他の場所でも読むことができる。
【０００５】
しかし特定の部屋または特定の場所に滞在している間だけ、読者が可読コンテンツを使用できるということに重きを置く多くの応用事例がある。この場所または部屋を離れた後で、読者がこのコンテンツに引き続いてアクセスできないことが求められる。このため、例えば安全にかかわる、ライセンス供与された、または著作権保護されたコンテンツの可用性が限定されることが必要となる。
【０００６】
この種の解決法が必要である例は、機密または安全にかかわるコンテンツである。考えられる例として、官庁がその職員に官庁の仕事部屋で文書を読めるようにするこの種のリーダーを持たせて、しかも誤ってまたは故意に仕事部屋から持ち出してしまってもコンテンツが表示されないようにしたい場合が考えられる。
【０００７】
また大規模なミーティングや会議で、機密文書（例えばプレゼンテーションおよび／または補足文書）をモバイルリーダーに伝送する場合が考えられる。伝送されたコンテンツが機密であるかまたは安全にかかわる性格を持っている（または著作権保護されている）限りにおいて、会議場を離れたときにコンテンツは削除されなければならない。１人または複数のユーザーによる多くの文書の可読性を同時に確保すると同時にその場所を離れた後に文書を削除することで機密を保持するシステムは、使用に格段の有利性をもたらす。
【先行技術文献】
【特許文献】
【０００８】
【特許文献１】米国特許出願公開第２０１０／０１９０５１３（Ａ１）号明細書
【非特許文献】
【０００９】
【非特許文献１】Ｓｐａｓｏｊｅｖｉｃ  Ｍ．，  Ｋｉｎｄｂｅｒｇ  Ｔ．：Ａ  Ｓｔｕｄｙ  ｏｆ  ａｎ  Ａｕｇｍｅｎｔｅｄ  Ｍｕｓｅｕｍ  Ｅｘｐｅｒｉｅｎｃｅ．  ＨＰ  ｔｅｃｈｒｅｐｏｒｔ．１９．０７．２００１
【非特許文献２】Ｓｃｈｗｉｅｒｅｎ  Ｊ．，  Ｖｏｓｓｅｎ，Ｇ．：Ｉｍｐｌｅｍｅｎｔｉｎｇ  Ｐｈｙｓｉｃａｌ  Ｈｙｐｅｒｌｉｎｋｓ  ｆｏｒ  Ｍｏｂｉｌｅ  Ａｐｐｌｉｃａｔｉｏｎｓ  ｕｓｉｎｇ  ＲＦＩＤ  Ｔａｇｓ．  ＩＤＥＡＳ  ２００７．Ｓｅｐｔｅｍｂｅｒ２００７．
【非特許文献３】Ｓｕｒｍｉｎｅｎ  Ｊ．Ｍ．  ｅｔ  ａｌ：Ｌｏｃａｔｉｏｎ−ｂａｓｅｄ  ＤＲＭ  ｕｓｉｎｇ  ＷｉＦｉ  Ａｃｃｅｓｓ  Ｐｏｉｎｔｓ．  ＩＳＣＩＴ  Ｓｙｍｐｏｓｉｕｍ  ０７．Ｏｃｔｏｂｅｒ  ２００７
【発明の概要】
【発明が解決しようとする課題】
【００１０】
本発明の課題は、場所に依存して関連するコンテンツをモバイルリーダー上に表示でき、リーダーが各場所を離れるとすぐに利用できなくなることを保証することである。
【００１１】
公知の従来技術は、これに関して解決法を示していない。
【課題を解決するための手段】
【００１２】
従って従来技術の欠点を克服できる、携帯型ディスプレイに場所を限定した可読コンテンツを表示するためのシステムおよび方法が求められる。この課題は、請求項に記載された対象物、特に請求項１に従った方法によって解決される。この根本概念の発展形態は従属請求項に提示される。
【図面の簡単な説明】
【００１３】
【図１】システムのインフラストラクチャの原理構造を示す図である。
【図２】システム全体および操作方法の典型的な実施形態を示す図である。
【発明を実施するための形態】
【００１４】
本発明によると場所を限定して可読コンテンツを携帯型ディスプレイに表示するためのシステムには、以下が含まれている：
ａ）自身を一義的に識別する信号を発信することを特徴とする、少なくとも１つの対象物探知装置（１）。本発明による方法を実施するために、対象物探知装置はさらに無線信号用受信ユニットおよびデータ処理ユニットを備えていてよい。
ｂ）本方法を実施するために必要なすべてのデータが格納されることを特徴とする少なくとも１つのサーバー（２）。これらのデータは、場所を限定して提供されるコンテンツ、ならびに本発明による方法で必要な認証方式および暗号化方式を適用するための基準、値およびアルゴリズムを含んでいる。さらにサーバーは通信ネットワークに接続している（無線または有線接続）（５）。
ｃ）場所を限定して可読のデジタルコンテンツをディスプレイ上に表示可能な少なくとも１つの携帯型リーダー（３）。このリーダーは、データ処理ユニット、ならびに本願で提示された方法を実行するために対象物探知装置とサーバー（６、５）との通信を可能にするための少なくとも１つの送信ユニットおよび受信ユニット、および通信ネットワークへの接続を備えている。
【００１５】
本発明によるシステムは、対象物探知装置（１）が場所によって限定される可読コンテンツを提供する場所または部屋（４）に設置されていることを特徴とする。場所によって限定されて使用できる可読コンテンツは、サーバー（２）に格納され、携帯型リーダー（３）に表示することができる。
【００１６】
場所によって限定されて使用できる可読コンテンツは、暗号化された形でサーバーからリーダーへ伝送され、対象物探知装置によって受信された信号を使ってのみリーダー上で復号され得る。
【００１７】
本発明によるシステムの中心となる要素はいわゆる対象物探知装置（１）であり、これが存在する部屋または場所（４）を一義的に識別する。好ましい一実施形態では、対象物探知装置（１）は、短距離無線（例えばＲＦＩＤ、Ｂｌｕｅｔｏｏｔｈ）の送信ユニットおよび受信ユニットのことである。無線信号の到達範囲は、場所によって限定される可読コンテンツを提供する部屋または場所（４）の大きさに応じて決定することができ、例えば数センチから数メートルであってよい。重要なのは、対象物探知装置がモバイルリーダー（３）によって受信され得る信号（ＩＤ）（６）を発信し、対象物探知装置を一義的に識別することである。これは、対象物探知装置が規則的な間隔を置いて信号を発信するようにすることで実行され得る。対象物探知装置が、前もってモバイルリーダーから信号を受信していたときに初めて信号を発信するということも考えられる。同様に光信号、バーコードまたは音響信号も適しており、これら信号は携帯型リーダーによって受信され（６）、データ処理され得る。さらに対象物探知装置は、信号を携帯型リーダーから受信し（６）、例えば認証方法の範囲でさらに処理する機能を持っている。
【００１８】
特に安全にかかわる分野に対しては、当然ながら複数の対象物探知装置の組み合わせを選択することもできる。さらに、対象物探知装置から発信されたＩＤを規則的または不規則的に間隔を空けて変更することも可能である。
【００１９】
対象物探知装置（１）を設置した場所または部屋（４）の情報、この場所またはこの部屋に限定して使用可能な可読コンテンツ、アクセス規定ならびに基準および値は、本発明による方法の実施のために少なくとも１つのサーバー（２）に格納されている。サーバーは場所を限定した可読コンテンツを管理する。サーバー上には対象物探知装置の識別情報および必要に応じて対象物探知装置が設置されている場所の情報、およびその場所でそれぞれ使用可能なコンテンツが登録され、保存されている。さらに、サーバーはコンテンツを暗号化する手段と、モバイルリーダーと対象物探知装置間の認証方法を開始する手段を持っている。さらにサーバーは通信ネットワーク（５）を介してモバイルリーダーと接続されている。可読コンテンツは、サーバー上に電子的形態で対応するデータフォーマット（ｅｐｕｂ、ｐｄｆ、ｔｘｔなど）で格納されている。対象物探知装置の識別情報に応じて、コンテンツが特定の方法で、サーバーによって暗号化され得る。このために使用できる暗号化方法、電子署名または証明書は従来技術から公知である。コンテンツを開いて表示できるようにするために、復号するための鍵は例えば対象物探知装置が発信した信号からリーダー上で生成され得る。この鍵も、対象物探知装置から発信された信号と同様に、時間に依存し、可変である。
【００２０】
本発明によるシステムの可能な一実施形態では、サーバーおよび対象物探知装置は機器に内蔵されていてよい。
【００２１】
本発明によるシステムの別の一実施形態では、対象物探知装置およびサーバーは、例えば１人の人が携帯できるモバイルユニットの構成要素であり、その結果可読コンテンツへのアクセスはこの１人の人の近隣でのみ可能である。
【００２２】
読者またはユーザーは、本発明による方法を実施するための手段を使ってモバイルリーダー（３）を操作する。モバイルリーダーは可読コンテンツを表示するためのディスプレイを備えている。さらに、本発明による方法を実行するために必要な、少なくとも１つのエネルギー蓄積装置、例えばバッテリー、データ受信ユニット、データ処理ユニットおよびデータ送信ユニットを備えている。モバイルリーダー（３）は、無線、つまり例えばＷＬＡＮまたは移動無線（５）を介してサーバーと接続されている。モバイルリーダーには、対象物探知装置（１）が発信した信号を受信する（６）ことのできる受信ユニット（例えばアンテナ、フォトセンサー、マイクロフォン）が備えられている。さらに、本願に記述した方法を実施するための信号を対象物探知装置に送信するために（６）送信ユニットを備えている。
【００２３】
その他に、モバイルリーダーはデータを消去するためのユニットを少なくとも１つ含んでいる。ここで、もうアクセスが不可能でなければならない場合に、好ましくはデータがリーダー上で完全におよび再生不可能に消去される。それほど安全にかかわらない用途の場合、実際にデータを削除せず、暗号化された形態でモバイルリーダーのデータストレージに残し、対象物探知装置がない場合には復号化のための信号が用意されなくなり、したがってコンテンツがディスプレイに表示できなくなるということも可能である。この安全性が低い実施形態の利点は、既定の部屋に再度立ち入ったときに再度データ伝送する必要がなく、ただデータを再び復号するだけで表示可能なことである。
【００２４】
リーダーへのアクセスは、例えば操作者のＰＩＮ入力によってさらに保護されうる。さらに、一義的な機器識別（例えばシリアルナンバー、ＩＰアドレス、または内蔵ＳＩＭカード番号）を備えてよく、これを使ってリーダーの所有者も識別することができる。それによって本願で提示された方法は、場所を限定したコンテンツの可用性を、特定のリーダーに、およびそれにより特定のユーザーに限定することにも適している。
【００２５】
システムの安全性をさらに高めるため、リーダーにはＧＰＳが備えられていてもよい。リーダーの存在場所は、対象物探知装置に追加的にまたはその代用として、そのＧＰＳ信号を使ってバリデーションされる。
【００２６】
請求項１によるこの方法の基本原理は、記載されたインフラストラクチャを使用して、モバイルリーダー（３）が対象物探知装置（１）に近づくと対象物探知装置から一義的な識別（４）を受信し、それがサーバー（２）に伝達される。サーバーはこの場所に限定されて使用可能なコンテンツを検出する。対象物探知装置に応じて、コンテンツが所与の方法を使って暗号化される。対象物探知装置から発信された信号を使って、暗号化されて存在しているコンテンツがリーダー上で復号される。対象物探知装置（１）の到達範囲の外側ではこのコンテンツは暗号化されたままであり、モバイルリーダー（２）上ではもう読めない。
【００２７】
システム全体および操作方法の典型的な実施形態は、図２から見て取れる。インフラストラクチャをベースに、対象物探知装置（１）、サーバー（２）および携帯型リーダー（３）から構成された状態で、個々に可能な手順工程を図２で解説する。
【００２８】
１：好ましい実施形態では、対象物探知装置は短距離無線ユニット（例えばＢｌｕｅｔｏｏｔｈ、ＲＦＩＤ）、送信ユニットおよび受信ユニットのことである。部屋に存在する対象物探知装置は、規則的な間隔で狭域無線信号を発信し、この信号によって識別マーク（数値コード、ＩＤ）が伝達され、これが対象物探知装置を一義的に識別する。送信された信号の到達範囲は、該当する部屋の大きさに適合される。同様に、対象物探知装置が前もって信号をモバイルリーダーから受信していたときに初めて自身の識別を発信することも考え得る。
モバイルリーダーは対象物探知装置から発信された信号を受信する。リーダーの好ましい一実施形態では、受信ユニットは常時作動している。もしも前もってオフまたはスタンバイ状態であった場合、機器が無線信号受信時にオンになることが考えられる。
２：モバイルリーダーが受信したＩＤをサーバーに伝送し、同時にこのＩＤで使用できるコンテンツの照会を送る。この工程ではさらにリーダーの識別が伝達され得、これを使って、リーダー、つまりその操作者が、コンテンツを受信する権限を持っているかどうかを確認し得る。
３：サーバーは受信した対象物探知装置ＩＤを使用して、このＩＤの下に格納されている限定して使用可能なコンテンツを特定する。限定されたユーザー権限のために設定がある場合、リーダーの識別が点検され、このリーダーがコンテンツを受信する権限があるかどうかが確認される。
４：サーバーは使用可能なコンテンツの一覧を、例えば文書タイトルリストの形でモバイルリーダーに送る。
５：好ましい一実施形態では、可読コンテンツが対象物探知装置の場所で使用できることが、機器のメニューに表示される。これは既存のメニュー項目の隣に記号（アイコン）を使用することによって、または追加のメニュー項目をリーダーのディスプレイに表示することで示される。
６：モバイルリーダーのユーザーは、提供されたコンテンツを呼び出したいのか、またどのコンテンツを呼び出したいのかを決定する。ユーザーは例えばリーダーのメニューにあるタイトルを選び、その結果としてこのコンテンツの許可をサーバーに要求する。
７：サーバーは要求されたコンテンツを、この対象物探知装置のためにあらかじめ定められた方法に従って暗号化する。
８：暗号化されたコンテンツがリーダーに伝送される。同時に対象物探知装置に対する認証照会がリーダーに送信される。これによってリーダーが実際に対象物探知装置の到達範囲にあり、伝送されたＩＤが偽造されていないことが確保され得る。好ましい一実施形態では、このことが従来技術で公知のチャレンジ・レスポンス方式で実現される。しかしここでは、別の公知の認証方法（例えばワンタイム・パスワード、ＴＡＮ）も考えられ、危険度に応じて選択されるべきである。
９：認証要求がリーダーから対象物探知装置に転送される。
１０：対象物探知装置内のデータ処理ユニットでは認証要求への返答があらかじめ決められた方法に従って生成される。
１１：返答は対象物探知装置から無線信号の形でリーダーへ送信される。
１２：認証が成功すると、照会されたコンテンツは対象物探知装置によって伝送された返答信号を使用して復号され得る。選択された文書は、その後開いて読むことが可能である。
コンテンツはユニット単位（つまり例えばページ単位または章単位で）提供される。つまり、文書の要求後最初に認証に成功すると、最初のページまたは最初の章が復号される。ページめくりの際、または他の（次の）章を選ぶ際、工程６〜１１が再度実行される。認証が再び成功すると、次のページまたは章が伝送され、復号され、開かれる。
同様に、特定の期間が規定され、この期間内に伝送されて復号されたコンテンツに、これが再び暗号化されて再度認証が必要になる前に、アクセスできることも可能である。
認証に失敗すると、新しいコンテンツがリーダーに伝送されないか、またはすでに伝送されたコンテンツを復号できない。これは例えば、リーダーが対象物探知装置の到達範囲内にない、つまりリーダーが対象物探知装置からの信号を受信しないような場合である。すでに受け取ったコンテンツは再度開くことはできない。なぜなら対象物探知装置が不在であるため、コンテンツを復号化するための鍵が生成できないからである。コンテンツへのアクセスが拒絶されるか、またはコンテンツが消去される。
【００２９】
安全にそれほどかかわらない用途では、認証方法（工程８〜１１）を省略してよい。場所によって限定されて使用できるコンテンツは、対象物探知装置ＩＤがリーダーからサーバーへ送信された直後にリーダーへ伝送され、そこで対象物探知装置から発信された信号を使って直接復号され、開かれる。コンテンツは、それから対象物探知装置から信号が受け取られている間は使用できる。対象物探知装置から信号が受信されなくなると、コンテンツは暗号化されたままで、コンテンツへのアクセスがロックされる。
【００３０】
システムの安全性を高めるため、複数の対象物探知装置が１つの場所に設置されてよい。限定して使用可能なコンテンツは、すべての対象物探知装置が有効な信号を受信した場合にのみ入手可能である。その際、例えば光信号および無線信号のようなさまざまな技術を組み合わせ得る。追加的にまたは代替として、リーダーから発信されたＧＰＳ信号を、存在場所を正確に特定してバリデーションするために使用してよい。
【００３１】
本方法の一実施形態では、対象物探知装置からもう信号が受け取られなくなると、コンテンツの一覧はリーダーのメニューに残るが、文書は開くことができない。なぜなら対応する照会が行なわれて不成功に終わり、文書を開く鍵が生成できないからであり、そのことが例えば記号（アイコン）でメニュー内に表示される。この場合、リストまたはメニュー項目を自主的に消去することが、リーダーのユーザーに任される。
【００３２】
好ましい一実施形態では、認証が不成功に終わるとコンテンツはリーダーのデータストレージから完全に消去され、およびメニュー項目または場所によって限定されて使用可能なコンテンツのリストも、認証が不成功に終わりコンテンツが復号できないとすぐに消去される。データを消去する特に安全な方式として、複数回の上書きが推奨される。
【００３３】
さらに、コンテンツ、リストまたはメニュー項目の消去は、認証が特定回数の試行後に複数回または特定の時間後に不成功に終わると初めて機器内で実施され得る。
【００３４】
同様に、場所を限定したコンテンツを再び暗号化するかまたはリーダーのデータストレージから消去する時点を規定することもできる。
【００３５】
本発明によるシステムの使用シナリオは以下に記述される：
【００３６】
企業または官庁が情報を従業員や職員のためにサーバーに用意する。企業または官庁はさらに、例えば事務所、会議室または外部施設ありまたはなしの建物全体のような、用意された情報に従業員や職員がアクセスする場所または部屋を定義する。このためにこの場所または部屋に対象物探知装置が設置され、例えば無線信号が限定された到達範囲で発信される。設置された各対象物探知装置の識別情報は、一義的にこの無線信号中にコーディングされ、サーバー上に格納され、そこで対象物探知装置によってマーキングされた場所に限定して使用可能なコンテンツへの参照指示が付けられる。
【００３７】
システムのユーザー（企業または官庁の従業員や職員、またはその他の権限所有者）には、モバイルリーダーを与えられる。モバイルリーダーの考えられる一実施形態では、ユーザーは例えば数字の組み合わせの入力、指紋、虹彩スキャン等でまずこのモバイルリーダーで自身を識別しなければならない。次に対象物探知装置およびサーバーとの通信に使用される送信ユニットおよび受信ユニットを作動させる。
【００３８】
モバイルリーダーが対象物探知装置の到達範囲に達すると、その無線信号およびそれによってそのＩＤを受信する。リーダーはこの識別を例えば移動無線またはＷＬＡＮを介してサーバーに送る。サーバーはこのＩＤと結びついた情報とコンテンツを特定し、場所によって限定されて使用可能なコンテンツの一覧をリーダーに送る。リーダーのメニュー内に、場所によって限定されたコンテンツが提供され、選択できることがユーザーに表示される。この時点では、この一覧だけが表示され、コンテンツ自体はまだ使用できない。
【００３９】
ユーザーがリストから文書を選択し、例えばボタンを押すかディスプレイをタッチしてその選択を確定する。サーバーは選択した文書を許可するよう照会を受け取り、それに対してサーバーは照会されたコンテンツをあらかじめ決められた方法で暗号化し、規定された認証方法がリーダーと対象物探知装置の間で開始される。これによってモバイルリーダーが実際に特定の対象物探知装置の到達範囲にあり、サーバーに伝送されたＩＤが偽造されていないことが確保される。この認証方法は従来技術による公知のどのような種類の認証であってよく、および官庁または企業によってその安全性要求に応じて選択されなければならない。好ましい一実施形態では、このことがチャレンジ・レスポンス方式で実現される。つまり、サーバーがチャレンジをリーダー経由で対象物探知装置に送り、次にこの対象物探知装置がレスポンスを生成してリーダーに送信する。しかし別の公知の認証方法（例えばワンタイム・パスワード、ＴＡＮ）を使用することもでき、危険度に応じて選択されるべきである。同様に暗号化の種類も相応に規定され得る。認証を実施するための基準および値は、よってサーバーと対象物探知装置にだけ知られている。
【００４０】
認証が成功すると、選択されたコンテンツはリーダー上で復号され得る。コンテンツはユニット単位（つまり例えばページ単位または章単位で）伝送される。つまり、ユーザーはまず要求した文書の最初のページまたは最初の章を開くことができる。ページめくりまたは次の章の選択は、再度照会をサーバーに送ることを伴い、その後サーバーは再度暗号化を行なって認証を実行する。
【００４１】
認証は追加的にユーザーまたはリーダーの識別情報とリンクしており、その結果場所によって限定されて使用できるコンテンツは人員または人員グループとも結びつき得る。
【００４２】
ユーザーが所定の部屋を離れるか、または対象物探知装置ＩＤによって記号を付けられた場所にいない場合、リーダーは対象物探知装置からもう信号を受信しない。リーダーはこの場合認証方法のための有効な返答を受け取らず、文書のすでに開いたページおよびそれに続くページへのアクセスを失う。場所によって限定されて使用可能なコンテンツの一覧およびコンテンツ自体が、リーダーのデータストレージから消去される。これに関して、コンテンツが短時間の信号障害で削除されることを防止するため、信号喪失とコンテンツ削除の間の時間的な遅延を企図することが考えられる。
【００４３】
別の一実施形態では、対象物探知装置として光源、例えば赤外線発光体を用いることができる。そうすると放射された信号は、携帯型リーダー内の対応するセンサーを使用して検出されることになる。さらなる可能性として、２Ｄまたは３Ｄバーコードが、対応する画像処理技術を使用してリーダーに検知され得る。さらに別の代替方法として、超音波信号を発信する対象物探知装置があり、この超音波信号は携帯型リーダー内の対応するマイクロフォンによって検知される。
【００４４】
特に安全にかかわる分野では、複数の対象物探知装置を組み合わせて使用することができる。こうして、例えば到達範囲が限定された光信号が第１の対象物探知装置を表し、この対象物探知装置が第２の対象物探知装置、例えば無線信号によって検証される。
【００４５】
本願に提示されたシステムの別の適用可能性は、例えば図書館および書店にある。こうして図書館建物内で文書、例えば書籍コンテンツが提供される。図書館ユーザーは本発明によるシステムを図書館内で使用して、図書館の部屋にいる限り、携帯型リーダーを使用して希望の書籍を検索し、中を読むことができる。対象物探知装置のＩＤは、例えばサーバー上で対応する区画およびそこにあるそれに付属する書籍タイトルとリンクできる。ユーザーが再び図書館建物を離れると、コンテンツへのアクセスは再び失われ、その結果著作権侵害はまったく起こらない。対応する実施形態は、書店のために使用され得る。ユーザーが試し読みを提供され、ユーザーが書店の部屋を再び離れると、試し読みは再び消去される。ユーザーが書籍を買いたい場合、古典的な方法で行なうかまたは書籍をデジタル形式で購入できる。
【００４６】
本発明によるシステムの別の適用として、例えば駅コンコース、空港ラウンジまたは医院の待合室などで、場所を限定して定期刊行物、書籍またはパンフレットを表示して提供することを挙げることができる。
【符号の説明】
【００４７】
１  対象物探知装置
２  サーバー
３  モバイルリーダー
４  一義的な識別
５  通信ネットワーク
６  送受信
【図１】
2014522003.tif 000003
【図２】
2014522003.tif 000004
【国際調査報告】
2014522003.tif 000005
2014522003.tif 000006
2014522003.tif 000007
2014522003.tif 000008
2014522003.tif 000009
2014522003.tif 000010